(57)【要約】【課題】仮に側壁の頂部から液体が少量の範囲で零れても直ちに周囲が汚れず、しかも持ち易い食器類を提供する。【解決手段】周囲に側壁１２を備え、内部に食するもの又は飲用するものを入れる食器類１０において、側壁１２の外側に、滑り止めとなって、上部から溢れる液体を受ける堰１３を設けた。この堰１３は、側壁１２の外側に溢れた液体を溜める貯留部１７を有するのが好ましく、また、堰１３は、側壁１２に対して上下方向中間位置より上側にあるのが更に好ましい。【選択図】        図１
2004222793.tif 000002
【特許請求の範囲】
【請求項１】
周囲に側壁を備え、内部に食するもの又は飲用するものを入れる食器類において、
前記側壁の外側に、滑り止めとなって、上部から溢れる液体を受ける堰を設けたことを特徴とする食器類。
【請求項２】
請求項１記載の食器類において、前記堰は前記側壁の外側に溢れた液体を溜める貯留部を有することを特徴とする食器類。
【請求項３】
請求項１及び２のいずれか１項に記載の食器類において、前記堰は、前記側壁に対して上下方向中間位置より上側にあることを特徴とする食器類。
【請求項４】
請求項１〜３のいずれか１項に記載の食器類において、前記側壁の高さは５０ｍｍ以上あって、前記堰の上側端部は、前記側壁の上端から１０ｍｍ以上、下位置にあることを特徴とする食器類。
【発明の詳細な説明】
【０００１】
【発明の属する技術分野】
本発明は、金属、プラスチック、木材、竹材、陶器及び磁器の１又は２以上からなる茶碗、丼、コップ等の食器類（食物を入れるもの及び飲物を入れるものを含む）に関する。
【０００２】
【従来の技術】
従来の、丼やコップ等を含む食器類は、例えば、特許文献１や特許文献２に記載のように、底部とその周囲に立設された側壁とを有している。
【０００３】
【特許文献１】
登録実用新案第３０６００２８号公報（図１）
【特許文献２】
登録実用新案第３０１３５０８号公報（図１）
【０００４】
【発明が解決しようとする課題】
しかしながら、食器類に飲料や汁等を一杯につぐと、側壁の上端部から雫状となって零れ、周囲を汚すことがあるという問題があった。
また、側壁は通常滑らかになっているので、手で持った場合、滑り易く、特に老人や身障者は当然として、通常の人でもそれを持ち難いという問題があった。
本発明はかかる事情に鑑みてなされたもので、仮に側壁の頂部から液体が少量の範囲で零れても直ちに周囲が汚れず、しかも持ち易い食器類を提供することを目的とする。
【０００５】
【課題を解決するための手段】
前記目的に沿う第１の発明に係る食器類は、周囲に側壁を備え、内部に食するもの又は飲用するものを入れる食器類において、前記側壁の外側に、滑り止めとなって、上部から溢れる液体を受ける堰を設けている。
この堰によって、側壁の頂部から零れて側壁を伝わる液体の流れにブレーキがかかり、直ちに周囲が汚れない。また、この堰に手が引っ掛かって滑り止めとしての役目を果たす。
【０００６】
第２の発明に係る食器類は、第１の発明に係る食器類において、前記堰は前記側壁の外側に溢れた液体を溜める貯留部を有する。これによって、溢れて零れた液体は最初にこの貯留部に溜まる。
【０００７】
第３の発明に係る食器類は、第１及び第２の発明に係る食器類において、前記堰は、前記側壁に対して上下方向中間位置より上側にある。これによって、側壁の下側に確実に手で持つ場所を確保できる。
【０００８】
第４の発明に係る食器類は、第１〜第３の発明に係る食器類において、前記側壁の高さは５０ｍｍ以上あって、前記堰の上側端部は、前記側壁の上端から１０ｍｍ以上、下位置にある。
これによって、側壁の頂部に口を当てても、堰が邪魔にならない。
【０００９】
【発明の実施の形態】
続いて、添付した図面を参照しつつ、本発明を具体化した実施の形態につき説明し、本発明の理解に供する。
ここに、図１（Ａ）は本発明の第１の実施の形態に係る食器類の平面図、（Ｂ）は側断面図、図２（Ａ）は本発明の第２の実施の形態に係る食器類の平面図、（Ｂ）は側断面図である。
【００１０】
図１（Ａ）、（Ｂ）に示すように、本発明の第１の実施の形態に係る食器類の一例である丼（お碗）１０は、陶器、磁器、紙、又はプラスチックからなって、円板状の底部１１とその周囲に設けられている側壁１２と、側壁１２の途中位置に設けられている堰１３とを有する。以下、これらについて詳しく説明する。
【００１１】
底部１１、側壁１２及び堰１３は一体構造となって、底部１１の下部には円錐台状の脚１４を有する。側壁１２は逆円錐台状となって、上方に拡径している。側壁１２の稜線の垂線に対する角度は、約１０〜３０度であり、丼１０の全体の高さｈ１は８０〜１４０ｍｍ程度となっている。
【００１２】
側壁１２の外周には、環状の堰１３が設けられているが、その高さは堰１３の下端位置の高さｈ２が丼１０の高さｈ１の約０．６〜０．７倍の位置にあり、更に堰１３の上端と側壁１２の上端との上下方向の距離ａが１０〜２０ｍｍとなっている。これによって、口を直接側壁１２の上端に当てることができるようになっている。
【００１３】
堰１３はこの実施の形態では、側壁１２の側面に直接繋がる環状の水平部１５と、水平部１５の外端に繋がる環状の傾斜面部１６とを有し、傾斜面部１６の内側に貯留部１７が形成されている。この貯留部１７によって、側壁１２の上端から零れる液体を少量だけ受けることができる。
そして、この丼１０の側壁１２の外側で、堰１３の下を手で持った場合、堰１３の部分が手に当たって、丼１０の滑り落ちを防止（滑り止め）できる。
【００１４】
続いて、図２（Ａ）、（Ｂ）に示す食器類の一例であるコップ１８について説明する。
図に示すように、本発明の第２の実施の形態に係るコップ１８は、金属、陶器、磁器、紙、木材、プラスチック等からなって、円板状の底部１９と、この底部１９に連結される側壁２０と、側壁２０の上下方向中間位置に設けられている堰２１とが一体となっている。以下、これらについて説明する。
【００１５】
底部１９は周囲が下がって、接地面２２が形成され、その部分から略垂直に円筒状の側壁２０の下端が連接されている。側壁２０の上部はやや外側に開いている。この側壁２０の略中間位置又は中間位置より少し上側には、堰２１が設けられている。堰２１は内側に貯留部２３を有し、上から零れた液体がこの部分に溜まるようになっている。
この実施の形態において、コップ１８の高さ（実質的に側壁２０の高さ）は６０〜１００ｍｍ程度であり、コーヒー、ジュース、お茶、牛乳等の液体を収納するのに適している。
【００１６】
この実施の形態においては、側壁２０には把手は設けられていないが、例えば、図２（Ｂ）に２点鎖線で示すように、把手２５を片側（場合によっては、両側）に設けることができる。
【００１７】
本発明は前記した実施の形態に限定されず、例えば、直径よりその高さが大きい紙製のコップ等にも適用できる。
また、前記実施の形態の具体的寸法に本発明は限定されるものでもない。
堰の形状は任意であり、必ずしも内側に窪んだ貯留部を有さず、実質的に側壁の外側を伝わる液体の流れを一時的に止めるものであればよい。
【００１８】
【発明の効果】
請求項１〜４に記載の食器類は、以上の説明からも明らかなように、周囲に側壁を備え、内部に食するもの又は飲用するものを入れる食器類において、側壁の外側に、滑り止めとなって、上部から溢れる液体を受ける堰を設けている。従って、この堰によって、側壁の頂部から零れて側壁を伝わって流れる液体が、堰の部分で止められ、直ちに周囲が汚れない。
また、この堰に手が引っ掛かって滑り止めとしての役目を果たすので、老人や身障者にとって使い易い食器類となる。
【００１９】
特に、請求項２記載の食器類は、堰は側壁の外側に溢れた液体を溜める貯留部を有する。これによって、溢れて零れた液体は最初にこの貯留部に溜まり、少量の範囲であれば、溢れた液体を保持できる。
【００２０】
請求項３記載の食器類は、堰は、側壁に対して上下方向中間位置より上側にあるので、側壁の下側に確実に手で持つ場所を確保でき、使い易い食器類を提供できる。
【００２１】
そして、請求項４記載の食器類は、側壁の高さは５０ｍｍ以上あって、堰の上側端部は、側壁の上端から１０ｍｍ以上、下位置にある。
これによって、側壁の頂部に口を当てても、堰が邪魔にならず、使用感に優れた食器類となる。
【図面の簡単な説明】
【図１】（Ａ）は本発明の第１の実施の形態に係る食器類の平面図、（Ｂ）は側断面図である。
【図２】（Ａ）は本発明の第２の実施の形態に係る食器類の平面図、（Ｂ）は側断面図である。
【符号の説明】
１０：丼（食器類）、１１：底部、１２：側壁、１３：堰、１４：脚、１５：水平部、１６：傾斜面部、１７：貯留部、１８：コップ（食器類）１９：底部、２０：側壁、２１：堰、２２：接地面、２３：貯留部、２５：把手
【図１】
2004222793.tif 000003
【図２】
2004222793.tif 000004